(57)【特許請求の範囲】
【請求項１】
作業台の脚部に取り付けられる脚端具であって、
表面に前記脚部を配置でき、上方から荷重がかかった状態で裏面を前記作業台の接地面に接触させたとき、第１方向に動かすための力が、前記第１方向とは反対の方向である第２方向に動かすための力より小さい本体部を備え、
前記本体部は、
上部の本体主部と、
前記本体主部の裏面から下方に伸びる突起部と、を備え、
前記突起部は、
前記本体主部の裏面において前記第１方向に対して垂直な方向の一方の端部側から他方の端部側に向かって伸びるように形成され、
前記突起部は、更に、
前記突起部のうち最も前記第２方向の側となる端部から、前記一方の端部側および前記他方の端部側に向かうにしたがって、前記第２方向の側となる端部が前記第１方向の側に位置するように形成されていることを特徴とする脚端具。
【請求項２】
前記突起部は、
前記本体主部の裏面での平面視において、前記第２方向に凸となる円弧状領域を備えることを特徴とする請求項１に記載の脚端具。
【請求項３】
前記突起部は、
前記本体主部の裏面での平面視において、前記第２方向に凸となる折れ線領域を備えることを特徴とする請求項１に記載の脚端具。
【請求項４】
前記本体部の表面に、前記脚部を嵌め込み可能な嵌め込み部をさらに備え、
前記突起部のうち最も前記第２方向の側の端部は、前記本体主部の前記裏面での平面視において、前記嵌め込み部の内側に位置することを特徴とする請求項１乃至３のいずれか１項に記載の脚端具。
【請求項５】
前記突起部は、前記第１方向に所定量変形させるために必要な力が、前記第２方向に前記所定量変形させるために必要な力より大きいことを特徴とする請求項１乃至４のいずれか１項に記載の脚端具。
【請求項６】
複数ある前記突起部の少なくとも１つは、前記第１方向の側の面と前記本体部の裏面とのなす前記第１方向の側の角度が、前記突起部の前記第２方向の側の面と前記本体部の裏面とのなす前記第２方向の側の角度より小さいことを特徴とする請求項１乃至５のいずれか１項に記載の脚端具。
【請求項７】
複数ある前記突起部の少なくとも１つは、前記本体主部の裏面から下方かつ前記第２方向に伸びることを特徴とする請求項１乃至６のいずれか１項に記載の脚端具。
【請求項８】
作業台であって、
少なくとも一対の脚部を備える第１主脚と、
少なくとも一対の脚部を備え、前記第１主脚の前方に位置する第２主脚と、
前記第１主脚の脚部に取り付けられ、前記第１方向が前記前方である請求項１乃至７のいずれか１項に記載の脚端具と、を備えることを特徴とする作業台。
【発明の詳細な説明】
【技術分野】
【０００１】
本発明は、作業台及び作業台の脚部に取り付けられる脚端具に関する。
【背景技術】
【０００２】
従来から、建築作業等に作業台が広く使われている。この作業台に関する技術として、特許文献１には、高さ調節が自在な脚立が開示されている。特許文献１の脚立は、天板と、天板の前方から下方に伸びる一対の前方主材と、天板の後方から下方に伸びる一対の後方主材とを備える。前方主材及び後方主材は伸縮自在に構成される。前方主材及び後方主材の下方の端部には、滑り止めとなる脚端具が取り付けられている。
【先行技術文献】
【特許文献】
【０００３】
【特許文献１】実開平６−７３３００号公報
【発明の概要】
【発明が解決しようとする課題】
【０００４】
しかしながら、特許文献１の脚立に取り付けられる脚端具は、作業者が脚立を階段等に置いて脚立に乗って作業すると、作業者の動きによって前方に滑ったり後方に滑ったりして、脚立が安定しないことがあった。
【０００５】
本発明は、上述したような問題点に鑑みてなされたものであり、作業台の安定性を向上させることができる作業台及び脚端具の提供を目的とする。
【課題を解決するための手段】
【０００６】
本発明の脚端具は、作業台の脚部に取り付けられる脚端具であって、表面に前記脚部を配置でき、上方から荷重がかかった状態で裏面を前記作業台の接地面に接触させたとき、第１方向に動かすための力が、前記第１方向とは反対の方向である第２方向に動かすための力より小さい本体部を備え、前記本体部は、上部の本体主部と、前記本体主部の裏面から下方に伸びる突起部と、を備え、前記突起部は、前記本体主部の裏面において前記第１方向に対して垂直な方向の一方の端部側から他方の端部側に向かって伸びるように形成され、前記突起部は、更に、前記突起部のうち最も前記第２方向の側となる端部から、前記一方の端部側および前記他方の端部側に向かうにしたがって、前記第２方向の側となる端部が前記第１方向の側に位置するように形成されていることを特徴とする。
【発明の効果】
【０００７】
本発明の脚端具は、上方から荷重がかかった状態で他方の主面を作業台の接地面に接触させたとき、第１方向に動かすための力が、第２方向に動かすための力より小さい。よって、作業台に取り付けられる脚端具は、作業者が脚立を階段等に置いて脚立に乗って作業すると、作業者の動きによって、例えば後方となる第２方向には滑りにくくなる。したがって、本発明の脚端具が取り付けられた作業台の安定性が向上する。
【図面の簡単な説明】
【０００８】
【図１Ａ】作業台の斜視図である。
【図１Ｂ】作業台の背面図である。
【図２Ａ】脚端具の側面図である。
【図２Ｂ】脚端具の側面図の一部の拡大図である。
【図２Ｃ】脚端具の底面図である。
【図２Ｄ】脚端具の背面図である。
【図２Ｅ】脚端具の上面図である。
【図２Ｆ】脚端具の断面図である。
【図３Ａ】他の脚端具の側面図である。
【図３Ｂ】他の脚端具の底面図である。
【発明を実施するための形態】
【０００９】
はじめに、図１Ａ及び図１Ｂを参照して、作業台１について説明する。図１Ａは、作業台１の斜視図である。図１Ｂは、作業台１の背面図である。作業台１は、図１Ａに示すように、階段２に置いて使われることを想定された作業台である。作業者は、図１Ａに示すように、階段２に作業台１を置き後述する天板１０に登って、建築作業等の各種の作業を行う。
なお、以降の説明では、便宜上、図１Ａに示す矢印Ｆｒの方向を前方、矢印Ｒｒの方向を後方、矢印Ｕｐの方向を上方、矢印Ｄｗの方向を下方と呼ぶ。また、図１Ｂに示す矢印Ｌの方向を左方、矢印Ｒの方向を右方と呼ぶ。
【００１０】
作業台１は、天板１０と、ストッパー２０と、第１主脚３０と、第２主脚４０と、ステー５０と、脚端具１００、２００とを備える。
天板１０は、作業者が作業台１で作業するときの足場となる。天板１０は、平板状の部材であり、上方から見たとき、前後の方向に長い矩形の形状である。
【００１１】
ストッパー２０は、天板１０の後方に配置され、作業者が天板１０に乗って作業しているときに、作業者が作業台１の後方に転落することを防止するための柵となる。ストッパー２０は、一対のストッパー支柱２１と、ストッパー桟２２とを備える。
一方のストッパー支柱２１は、天板１０の後方であって天板１０の左側の端部から上方に伸びるように配置される。他方のストッパー支柱２１は、天板１０の後方であって天板１０の右側の端部から上方に伸びるように配置される。ストッパー桟２２は、一対のストッパー支柱２１の上方の端部同士を繋ぐ棒状の部材である。ストッパー桟２２によって、作業者が天板１０から作業台１の後方に転落することが防止される。
ストッパー２０は、畳むことが可能である。一対のストッパー支柱２１は、天板１０との接続部を中心に、天板１０の上側の面とほぼ平行になる位置まで回転できる。一対のストッパー支柱２１が天板１０の上側の面とほぼ平行になる位置まで動かされると、ストッパー桟２２は天板１０に近づいて対向する位置に移動し、ストッパー２０が畳まれた状態になる。
【００１２】
第１主脚３０及び第２主脚４０は、それぞれ、天板１０の後方及び前方を支える部材である。第１主脚３０及び第２主脚４０によって、天板１０が水平な状態に配置される。第１主脚３０及び第２主脚４０は、長さの調整が可能であり、階段２の段差の高さなどに応じた適切な長さに設定できる。
【００１３】
第１主脚３０は、一対の脚部３１と主脚桟３４Ａ、Ｂとを備える。
一対の脚部３１は、それぞれ、上側の端部が天板１０の後方の端部に接続し、下側の端部が作業台１の接地面まで伸びる棒状の部材である。脚部３１の一方は天板１０の右側の端部に接続し、脚部３１の他方は天板１０の左側の端部に接続する。一対の脚部３１は、図１Ｂに示すとおり、天板１０から作業台１の接地面に進むにつれて、互いの距離が広がるように配置される。
【００１４】
一対の脚部３１のそれぞれは、支柱脚３２と延長脚３３とを備える。支柱脚３２は、脚部３１の上部を構成する棒状の部材であり、中空である。支柱脚３２の上側の端部が天板１０に接続する。延長脚３３は、支柱脚３２の下側の端部から支柱脚３２に沿って下方に伸びる棒状の部材である。延長脚３３の上部は、中空である支柱脚３２の内部に入り込んで固定されている。支柱脚３２の内部に入り込む延長脚３３の長さは調整可能であり、支柱脚３２の内部に入り込む延長脚３３の長さを調整することで、脚部３１全体の長さを調整できる。
主脚桟３４Ａ、Ｂは、一対の支柱脚３２を接続する棒状の部材であり、第１主脚３０の強度を向上させる。主脚桟３４Ａは、一対の支柱脚３２の中央よりやや上方で一対の支柱脚３２を接続する。主脚桟３４Ｂは、一対の支柱脚３２の下方で一対の支柱脚３２を接続する。
【００１５】
第２主脚４０は、一対の脚部４１と主脚桟４４Ａ、Ｂとを備える。
一対の脚部４１は、それぞれ、上側の端部が天板１０の前側の端部に接続し、下側の端部が作業台１の接地面まで伸びる棒状の部材である。脚部４１の一方は天板１０の右側の端部に接続し、脚部４１の他方は天板１０の左側の端部に接続する。一対の脚部４１は、天板１０から作業台１の接地面に進むにつれて、互いの距離が広がるように配置される。
脚部４１のそれぞれは、第１主脚３０の脚部３１と同様に、支柱脚４２と延長脚４３とを備える。支柱脚４２及び延長脚４３は、それぞれ第１主脚３０の支柱脚３２及び延長脚３３と同様の構成であり、詳しい説明を省略する。
【００１６】
主脚桟４４Ａ、Ｂは、一対の支柱脚４２を接続する棒状の部材であり、第２主脚４０の強度を向上させる。また、主脚桟４４Ａ、Ｂは、作業者が天板１０に登るときの踏み場となる。主脚桟４４Ａは、一対の支柱脚４２の中央よりやや上方で一対の支柱脚４２を接続する。主脚桟４４Ｂは、一対の支柱脚４２の下方で一対の支柱脚４２を接続する。
第１主脚３０の長さは、図１Ａに示すとおり、第２主脚４０より長くなっており、作業台１を階段２に置くとき、第１主脚３０を階段２の後方に配置し、第２主脚４０を階段２の前方に配置するのに適した形状となる。
【００１７】
第１主脚３０及び第２主脚４０は、畳むことが可能である。第１主脚３０及び第２主脚４０を畳むには、まず、第１主脚３０の一対の脚部３１のそれぞれを最短の長さにし、第２主脚４０の一対の脚部４１のそれぞれを最短の長さにする。次に、第２主脚４０を、第２主脚４０の天板１０との接続部を中心に、第２主脚４０の主脚桟４４Ａ、Ｂが天板１０の下側の面に近づくように回転させる。次に、第１主脚３０を、第１主脚３０の天板１０との接続部を中心に、第１主脚３０の主脚桟３４Ａ、Ｂが天板１０の下側の面に近づくように回転させる。こうして、第１主脚３０及び第２主脚４０が畳まれた状態になる。
【００１８】
ステー５０は、天板１０の下側の面の前後方向の中央部と、第１主脚３０の支柱脚３２とを接続して、天板１０と第１主脚３０との角度を所定の角度にして、作業台１を補強する。
なお、天板１０、ストッパー２０、第１主脚３０、第２主脚４０及びステー５０は、主としてアルミ合金で形成される。ただし、ステンレス等の他の材料を用いてもよい。
【００１９】
脚端具１００及び脚端具２００は、それぞれ、第１主脚３０の脚部３１の下端、第２主脚４０の脚部４１の下端に取り付けられ、作業台１が接地面に対して滑らないようにする。
第１主脚３０の右側の脚部３１には、脚端具１００Ａが取り付けられ、左側の脚部３１には、脚端具１００Ｂが取り付けられている。
第２主脚４０の右側の脚部４１には、脚端具２００Ａが取り付けられ、左側の脚部４１には、脚端具２００Ｂが取り付けられている。
脚端具１００及び脚端具２００は、それぞれ、軟質塩化ビニールで一体的に形成される。ただし、ゴムや合成樹脂等の弾性のある他の材料を用いてもよい。
【００２０】
次に、図２Ａ〜図２Ｆを参照して、脚端具１００Ａについて説明する。図２Ａは、脚端具１００Ａの側面図である。図２Ｂは、図２Ａの第１突起部１２２の一部の拡大図である。図２Ｃは、脚端具１００Ａの底面図である。図２Ｄは、脚端具１００Ａの背面図、すなわち、脚端具１００Ａを図２Ａの矢印Ａの方向から見た図である。図２Ｅは、脚端具１００Ａの上面図である。図２Ｆは、脚端具１００Ａの、図２ＣにおけるＢ−Ｂ断面図である。なお、脚端具１００Ａの第１方向Ｄ１は、図１Ａに示す作業台１の前方に一致し、第１方向Ｄ１の反対方向である第２方向Ｄ２は、図１Ａに示す作業台１の後方に一致する。
【００２１】
脚端具１００Ａは、嵌め込み部１１０と、本体部１２０とを備える。
はじめに本体部１２０について説明する。本体部１２０は、下側の主面である裏面１２０Ｂが作業台１の接地面に接触する。なお、本体部１２０の裏面１２０Ｂは、図２Ａに示すとおり、後述する第１突起部１２２、第２突起部１２３及び第３突起部１２４の下端部を通る面である。また、本体部１２０の上側の主面である表面１２０Ａには、第１主脚３０の脚部３１を取り付けることができる。この取り付けについての詳細は後述する。
本体部１２０には、図２Ｃ及び図２Ｅに示すように、水抜き孔１２６が設けられる。水抜き孔１２６は、本体部１２０を貫通する貫通孔であり、後述する嵌め込み部１１０の内部に水がたまらないようにするための孔である。
【００２２】
本体部１２０は、図２Ａに示すとおり、本体主部１２１と、第１突起部１２２と、第２突起部１２３と、第３突起部１２４とを備える。
本体主部１２１は、板状であり、本体部１２０の上側に位置し、本体主部１２１の上側の主面は、上記の表面１２０Ａとなる。本体主部１２１は、図２Ａに示すように第２方向Ｄ２に向かうにつれて高さが高くなるため、表面１２０Ａは、本体主部１２１の裏面１２１Ａに対して傾斜する。表面１２０Ａは、この傾斜により、図１Ａに示す脚部３１の下側の端部の面と平行になるため、脚部３１を安定して表面１２０Ａに配置できる。
本体主部１２１は、図２Ｅ及び図２Ｆに示すとおり、表面１２０Ａに凹部１２８を備える。また、本体主部１２１は、図２Ｃに示すとおり、裏面１２１Ａにおける２つの第３突起部１２３Ａ、１２３Ｂとの間に凹部１２５を備える。また、本体主部１２１は、図２Ｃに示すとおり、裏面１２１Ａにおける第１突起部１２２と第３突起部１２３Ａとの間に凹部１２９を備える。これらの凹部１２５、１２８、１２９により、脚端具１００Ａが厚肉になることを防止して、例えば軟質塩化ビニールを用いた射出成形をするときにヒケが発生することを防ぐ。
【００２３】
次に、第１突起部１２２について説明する。第１突起部１２２は、図２Ａに示すとおり、本体主部１２１の裏面１２１Ａから、斜め後方、すなわち、下方かつ第２方向Ｄ２に伸びるように形成される。第１突起部１２２の下側の先端の断面は半円状の形状となる。また、第１突起部１２２は６個並んで配置される。
【００２４】
第１突起部１２２の断面形状は、どの部分の断面であっても略同形状となる。そこで、第１突起部１２２の断面形状として、図２Ｂに示される第１突起部１２２の側面の形状を説明する。
第１突起部１２２の第１方向Ｄ１の側の面と、第１突起部１２２の第２方向Ｄ２の側の面とは、平行になっておらず、下方に向かうにつれて互いに近づくように形成される。
ここで、図２Ｂに示すように、第１突起部１２２の第１方向Ｄ１の側の面と、本体部１２０の裏面１２０Ｂとのなす第１方向Ｄ１の側の角度を角度αとする。また、第１突起部１２２の第２方向Ｄ２の側の面と、本体部１２０の裏面１２０Ｂとのなす第２方向Ｄ２の側の角度を角度βとする。このとき、第１突起部１２２は、角度αが角度βより小さくなるように形成される。
なお、第１突起部１２２は、上述のように、本体主部１２１の裏面１２１Ａから、斜め後方に伸びるように形成される。第１突起部１２２が斜め後方に伸びるとは、第１突起部１２２の断面図における中心線Ｃ（図２Ａ参照）が、斜め後方に伸びることを表す。中心線Ｃは、第１突起部１２２の断面図を考えたとき、第１突起部１２２の第１方向Ｄ１の側の端部の任意の点と、この点と同じ高さにある第１突起部１２２の第２方向Ｄ２の側の端部の点と、の中間点からなる線である。斜め後方に伸びることの意味は、後述する第２突起部１２３及び第３突起部１２４でも、同様である。
【００２５】
次に、図２Ｃを参照して、本体主部１２１の裏面１２１Ａでの平面視における第１突起部１２２の形状を説明する。第１突起部１２２は、本体主部１２１の裏面１２１Ａにおいて、第１方向Ｄ１に垂直な方向の一方の端部から、他方の端部まで伸びるように形成される。
第１突起部１２２は、図２Ｃに示すとおり、２つの円弧状領域Ｒ１、Ｒ２を備える。第１突起部１２２は、円弧状領域Ｒ１、Ｒ２のそれぞれで、第２方向Ｄ２に凸となる円弧状の形状となる。ここで、第１突起部１２２の円弧状領域Ｒ１に含まれて最も第２方向Ｄ２の側となる部分を端部Ｐ１とする。すると、複数の第１突起部１２２それぞれの端部Ｐ１は、直線Ｌ１を通る。同様に、第１突起部１２２の円弧状領域Ｒ２に含まれて最も第２方向Ｄ２の側となる部分を端部Ｐ２とする。すると、複数の第１突起部１２２それぞれの端部Ｐ２は、直線Ｌ２を通る。
【００２６】
ここで、直線Ｌ１及び直線Ｌ２と、第１主脚３０の延長脚３３との関係を説明する。延長脚３３は、外形が四角柱状であり、内部は空洞になっている。延長脚３３の外形を形成する４つの面となる部分を延長脚壁３３Ａ〜Ｄとする。延長脚壁３３Ａ及び延長脚壁３３Ｃは、互いに対向し、延長脚３３の断面図では作業台１の前後方向に伸びる。また、延長脚壁３３Ｂ及び延長脚壁３３Ｄは、互いに対向し、延長脚３３の断面図では作業台１の左右方向に伸びる。
この延長脚３３を、本体主部１２１の裏面１２１Ａから見たときの配置を図２Ｃに示す。図２Ｃに示すとおり、本体主部１２１の裏面１２１Ａでの平面視において、延長脚３３の延長脚壁３３Ａは直線Ｌ１に重なり、延長脚壁３３Ｃは直線Ｌ２に重なる。すなわち、延長脚３３の延長脚壁３３Ａは第１突起部１２２の端部Ｐ１に重なり、延長脚３３の延長脚壁３３Ｃは第１突起部１２２の端部Ｐ２に重なる。
【００２７】
次に、第２突起部１２３について説明する。第２突起部１２３は、図２Ａに示すとおり、本体主部１２１の裏面１２１Ａから、斜め後方に伸びるように形成される。第２突起部１２３の下側の先端の断面は半円状の形状となる。また、第２突起部１２３の第１方向Ｄ１の側の面と、第１突起部１２２の第２方向Ｄ２の側の面とは、図２Ｆに示すとおり、略平行になる。また、第２突起部１２３は、図２Ｃに示すとおり、本体主部１２１の裏面１２１Ａにおいて、第１方向Ｄ１に垂直な方向の一方の端部から、他方の端部まで直線状に伸びるように形成される。第２突起部１２３は２個あり、凹部１２５の第１方向Ｄ１の側に第２突起部１２３Ａが配置され、凹部１２５の第２方向Ｄ２の側に第２突起部１２３Ｂが配置される。第２突起部１２３Ｂは、本体主部１２１の後端（第２方向Ｄ２側の端部）に配置される。
【００２８】
次に、第３突起部１２４について説明する。第２突起部１２３は、図２Ａに示すとおり、本体主部１２１の裏面１２１Ａから、斜め後方に伸びるように形成される。第２突起部１２３の下側の先端の断面は半円状の形状となる。第３突起部１２４は、第１突起部１２２の第１方向Ｄ１の側であって、本体主部１２１の先端（第１方向Ｄ１側の端部）に１個配置される。また、第３突起部１２４の第１方向Ｄ１の側の面と、第１突起部１２２の第２方向Ｄ２の側の面とは、図２Ａ及び図２Ｆに示すとおり、略平行になる。また、第２突起部１２３は、図２Ｃに示すとおり、本体主部１２１の裏面１２１Ａにおいて、第１方向Ｄ１に垂直な方向の一方の端部から、他方の端部まで伸びるように形成される。第３突起部１２４の第１方向Ｄ１の側は、図２Ｃに示すとおり、直線状となる。また、第３突起部１２４の第２方向Ｄ２の側は、図２Ｃに示すとおり、第１突起部１２２と同様に、円弧状となる。
【００２９】
次に、脚端具１００Ａの嵌め込み部１１０について説明する。嵌め込み部１１０は、第１主脚３０の延長脚３３が嵌め込まれて固定されることで、第１主脚３０の延長脚３３に脚端具１００を取り付けるための部材である。
嵌め込み部１１０は、図２Ａ及び図２Ｆに示すとおり、本体部１２０の表面１２０Ａに配置され、本体部１２０の表面１２０Ａから、斜め前方、すなわち、上方かつ第１方向Ｄ１に伸びる柱状の形状である。嵌め込み部１１０の上部は開口しており、この開口部分から第１主脚３０の延長脚３３が嵌め込まれる。嵌め込み部１１０が斜め前方に伸びることで、図１Ａに示すように、前方に傾く脚部３１が嵌め込み部１１０に嵌め込まれたとき、脚部３１の下方の端部が、安定して本体部１２０の表面１２０Ａに配置できる。
嵌め込み部１１０の側面には、ネジ穴１１１が設けられている。第１主脚３０の延長脚３３が嵌め込み部１１０に嵌め込まれた状態で、ネジ穴１１１を通るネジによって延長脚３３が嵌め込み部１１０に固定される。
【００３０】
嵌め込み部１１０の、第１方向Ｄ１に垂直な方向の中心となる点を繋ぐ直線（嵌め込み部１１０の中心線）は、図２Ｅに示すとおり、直線Ｌ３で表される。また、本体部１２０の、第１方向Ｄ１に垂直な方向の中心となる点を繋ぐ直線（本体部１２０の中心線）は、直線Ｌ４で表される。直線Ｌ３と直線Ｌ４とは一致せずにずれている。図２Ｅに示す脚端具１００Ａは、図１Ａに示すとおり、作業台１の右側の脚部３１に取り付けられることを考慮すると、嵌め込み部１１０の中心線Ｌ３は、本体部１２０の中心線Ｌ４より、作業台１の外側に位置することが分かる。このように、嵌め込み部１１０は、本体部１２０に対して、作業台１の外側（右側）に偏心して配置される。
【００３１】
次に、図２Ｃを参照して、嵌め込み部１１０と第１突起部１２２との関係を説明する。嵌め込み部１１０は、本体主部１２１の裏面１２１Ａでの平面視において、第１主脚３０の延長脚３３の外側に位置する。したがって、第１突起部１２２の端部Ｐ１、Ｐ２は、本体主部１２１の裏面１２１Ａでの平面視において、嵌め込み部１１０の内側に位置することになる。
【００３２】
次に、脚端具１００Ｂについて説明する。脚端具１００Ｂの形状は、脚端具１００Ａの形状と比べると、図２Ｅに示す脚端具１００Ａの本体部１２０の中心線Ｌ４を通り上下方向に伸びる平面に対して対称な形状である。その他の点については、脚端具１００Ｂは脚端具１００Ａと同様である。
【００３３】
次に、図３Ａ、図３Ｂを参照して、脚端具２００Ａについて説明する。図３Ａは、脚端具２００Ａの側面図である。図３Ｂは、脚端具２００Ａの底面図である。脚端具２００Ａは、嵌め込み部２１０と本体部２２０とを備える。なお、脚端具２００Ａの第３方向Ｄ３は、図１Ａに示す作業台１の前方に一致する。
本体部２２０は、下側の主面である裏面が作業台１の接地面に接触する。また、本体部２２０の上側の主面である表面２２０Ａには、第２主脚４０の脚部４１を取り付けることができる。
【００３４】
本体部２２０は、図３Ａに示すとおり、本体主部２２１と、突起部２２２とを備える。
本体主部２２１は、板状であり、本体部２２０の上側に位置する。本体主部２２１は、第３方向Ｄ３に向かうにつれて高さが高くなるため、脚端具１００Ａと同様に、表面２２０Ａが傾斜しており、脚部４１を安定して表面２２０Ａに配置できる。
突起部２２２は、本体主部２２１の裏面から下方に伸びる突起である。突起部２２２の断面は、図３Ａに示すように、下方に凸の円弧状の形状である。また、突起部２２２は、本体主部２２１の裏面において、図３Ｂに示すとおり、第３方向Ｄ３に垂直な方向の一方の端部から、他方の端部まで直線状に伸びるように形成される。突起部２２２は、本体主部２２１の第３方向Ｄ３に複数個並んで配置される。
【００３５】
嵌め込み部２１０は、脚端具１００Ａの嵌め込み部１１０と同様の構成であり、本体部２２０の表面２２０Ａに配置され、柱状の形状であって、上部の開口部分から第２主脚４０の延長脚４３が嵌め込まれる。嵌め込み部２１０の側面には、ネジ穴２１１が設けられて、ネジによって延長脚４３が嵌め込み部２１０に固定される。また、嵌め込み部２１０は、本体部２２０に対して、作業台１の外側（右側）に偏心して配置される。
【００３６】
脚端具２００Ｂは、脚端具２００Ａと同様の形状である。なお、脚端具２００Ｂの嵌め込み部１１０は、本体部２２０に対して、作業台１の外側（左側）に偏心して配置される。
【００３７】
以上説明したとおり、作業台１が備える脚端具１００は第１突起部１２２を備える。第１突起部１２２の第１方向Ｄ１の側の面と、本体部１２０の裏面１２０Ｂとのなす第１方向Ｄ１の側の角度αは、第１突起部１２２の第２方向Ｄ２の側の面と、本体部１２０の裏面１２０Ｂとのなす第２方向Ｄ２の側の角度βより小さい。よって、第１突起部１２２を第１方向Ｄ１に所定量変形させるために必要な力は、第２方向Ｄ２に所定量変形させるために必要な力より大きい。したがって、本体部１２０の上方から荷重がかかった状態で本体部１２０の下側を作業台１の接地面に接触させたとき、脚端具１００Ａを第１方向Ｄ１に動かすための力は、第２方向Ｄ２に動かすための力より小さくなる。
【００３８】
また、脚端具１００は第２突起部１２３及び第３突起部１２４を備える。そして、第２突起部１２３及び第３突起部１２４は、本体主部１２１の裏面１２１Ａから斜め後方に伸びるように形成される。よって、第２突起部１２３及び第３突起部１２４を第１方向Ｄ１に所定量変形させるために必要な力は、第２方向Ｄ２に所定量変形させるために必要な力より大きい。したがって、本体部１２０の上方から荷重がかかった状態で本体部１２０の下側を作業台１の接地面に接触させたとき、脚端具１００Ａを第１方向Ｄ１に動かすための力は、第２方向Ｄ２に動かすための力より小さくなる。
【００３９】
ここで、第１方向Ｄ１は、作業台１の前方に等しい。よって、作業台１は、作業者が作業台１に乗って作業しても、脚端具１００の第１突起部１２２、第２突起部１２３及び第３突起部１２４により、後方には動きにくくなる。したがって、作業台１の安定性が向上する。また、作業台１は後方には動きにくくなるため、作業台１が置かれた階段２の段から後方の段に動くことがなく、作業台１の安定性が向上する。
【００４０】
また、第１突起部１２２は、本体主部１２１の裏面１２１Ａにおいて、第１方向Ｄ１に垂直な方向の一方の端部から、他方の端部まで伸びるように形成される。そして、第１突起部１２２は、図２Ｃに示すとおり、２つの円弧状領域Ｒ１、Ｒ２を備える。よって、第１突起部１２２における作業台１の接地面との接触面積が増えて、脚端具１００の接地面に対する摩擦力が向上し、脚端具１００の動きにくさが増す。したがって、作業台１の安定性が向上する。
【００４１】
また、第１突起部１２２の端部Ｐ１、Ｐ２は、本体主部１２１の裏面１２１Ａでの平面視において、嵌め込み部１１０の内側に位置する。特に、図２Ｃに示すとおり、延長脚３３の延長脚壁３３Ａは第１突起部１２２の端部Ｐ１に重なり、延長脚３３の延長脚壁３３Ｃは第１突起部１２２の端部Ｐ２に重なる。
よって、脚端具１００の上方からの荷重は、第１突起部１２２の端部Ｐ１、Ｐ２に多くかかることになる。このため、作業台１で作業者が作業することで、脚端具１００を第１方向Ｄ１又は第２方向Ｄ２に力がかかると、第１突起部１２２の端部Ｐ１、Ｐ２に強く力がかかることになる。
【００４２】
ここで、端部Ｐ１は第１突起部１２２の円弧状領域Ｒ１に含まれて最も第２方向Ｄ２の側となる部分であり、端部Ｐ２は第１突起部１２２の円弧状領域Ｒ２に含まれて最も第２方向Ｄ２の側となる部分である。
したがって、端部Ｐ１、Ｐ２にかかる力は端部Ｐ１、Ｐ２の隣接領域に分散されるため、第１突起部１２２の端部Ｐ１、Ｐ２が第１突起部１２２の他の部分と比べて早くすり減ることを防止でき、第１突起部１２２の耐用期間を長くできる。また、第１突起部１２２はほぼ均等にすり減るため、作業台１の安定性を損ねずに、作業台１の滑りにくさを維持できる。
【００４３】
また、脚端具１００の嵌め込み部１１０は、本体部１２０に対して、作業台１の外側に偏心して配置される。したがって、作業台１を壁に隣接して配置することを考えると、嵌め込み部１１０が作業台１の内側に偏心して配置される場合と比べて、作業台１をより壁側に近づけて配置できる。また、脚端具１００の本体部１２０は、嵌め込み部１１０に対して、作業台１の内側の面積の方が、作業台１の外側の面積より大きい。こうして、脚端具１００における作業台１の接地面との接触面積を増やすことで、作業台１の滑りにくさを向上させられる。
【００４４】
（その他の実施形態）
上記の脚端具１００では、図２Ｃに示すとおり、第１突起部１２２、第２突起部１２３及び第３突起部１２４は、本体主部１２１の裏面１２１Ａにおいて、第１方向Ｄ１に垂直な方向の一方の端部から、他方の端部まで伸びるように形成される。しかし、第１突起部１２２、第２突起部１２３及び第３突起部１２４の少なくとも何れかは、第１方向Ｄ１に垂直な方向の端部まで伸びていなくてもよい。また、第１突起部１２２、第２突起部１２３及び第３突起部１２４の少なくとも何れかは、第１方向Ｄ１に垂直な方向に並ぶように配置されてもよい。
【００４５】
また、上記の脚端具１００は、図２Ｃに示すとおり、２つの円弧状領域Ｒ１、Ｒ２を備える。しかし、脚端具１００は、円弧状領域Ｒ１、Ｒ２ではなく、折れ線領域を備えるようにしてもよい。ここで、折れ線領域は、本体主部１２１の裏面１２１Ａにおいて、２つ以上の方向の異なる線分が接続する形状の領域である。
【００４６】
また、上記の作業台１は、第２主脚４０の脚部４１には、脚端具１００ではなく脚端具２００が取り付けられている。しかし、第２主脚４０の脚部４１に脚端具１００を取り付けてもよい。このとき、第２主脚４０の右側の脚部４１に取り付けられる脚端具１００の形状は、脚端具１００Ａと比べると、第１方向Ｄ１に垂直な面に対して対称な形状とする。また、第２主脚４０の左側の脚部４１に取り付けられる脚端具１００の形状は、脚端具１００Ｂと比べると、第１方向Ｄ１に垂直な面に対して対称な形状とする。ただし、第２主脚４０の脚部４１に取り付けられる脚端具１００の嵌め込み部１１０は、本体部１２０の表面１２０Ａから、第２主脚４０の脚部４１の向く方向と同じ方向に伸びるような形状とする。
これにより、作業台１は、第１主脚３０の脚部３１に取り付けられる脚端具１００によって、前方に滑りにくくなる。そして、第２主脚４０の脚部４１に取り付けられる脚端具１００によって、後方に滑りにくくなる。したがって、作業台１の安定度が向上する。
【００４７】
また、第２主脚４０の右側の脚部４１に取り付けられる脚端具１００の本体部１２０の裏面１２０Ｂを、脚端具１００Ａの本体部１２０の裏面１２０Ｂと同じ形状にしてもよい。さらに、第２主脚４０の左側の脚部４１に取り付けられる脚端具１００の本体部１２０の裏面１２０Ｂを、脚端具１００Ｂの本体部１２０の裏面１２０Ｂと同じ形状にしてもよい。
これにより、作業台１は、第１主脚３０の脚部３１に取り付けられる脚端具１００、及び、第２主脚４０の脚部４１に取り付けられる脚端具１００によって、後方に滑りにくくなる。したがって、作業台１は後方には動きにくくなるため、作業台１が置かれた階段２の段から後方の段に動くことがなく、作業台１の安定性が向上する。
【００４８】
また、本体主部１２１の裏面に形成される複数の突起部は、第１突起部１２２、第２突起部１２３及び第３突起部１２４のいずれか１つ又は２つの種類の突起部のみであってもよい。
また、本体主部１２１の裏面に形成される複数の突起部の少なくとも１つは、第１突起部１２２、第２突起部１２３及び第３突起部１２４ではなく、図３Ａに示す突起部２２２の形状であってもよい。
また、上記の実施形態では、脚端具１００は作業台１に取り付けられる。しかし、脚端具１００はハシゴの脚部の下端部に取り付けられてもよい。このとき、脚端具１００の第１方向Ｄ１は、例えば、ハシゴが傾けられる方向に一致するようにする。
【００４９】
以上、本発明を上述した実施形態と共に説明したが、本発明は上述した実施形態にのみ限定されるものではなく、本発明の範囲内で変更などが可能であり、上述した実施形態を適宜、組み合わせてもよい。
【符号の説明】
【００５０】
１  作業台、２  階段、３０  第１主脚、３１  脚部、４０  第２主脚、４１  脚部、１００  脚端具、２００  脚端具
【図１Ａ】
0006677992.tif 000002
【図１Ｂ】
0006677992.tif 000003
【図２Ａ】
0006677992.tif 000004
【図２Ｂ】
0006677992.tif 000005
【図２Ｃ】
0006677992.tif 000006
【図２Ｄ】
0006677992.tif 000007
【図２Ｅ】
0006677992.tif 000008
【図２Ｆ】
0006677992.tif 000009
【図３Ａ】
0006677992.tif 000010
【図３Ｂ】
0006677992.tif 000011